(57)【特許請求の範囲】
【請求項１】
被写体を撮像し、被写体像を示す画像データに変換する撮像手段と、
乱数発生手段を有し、該乱数発生手段から発生された乱数値によって複数の特殊効果のうちから１つの特殊効果を選択する特殊効果選択手段と、
前記撮像手段から得た１コマの画像データに対して、前記特殊効果選択手段によって選択された特殊効果に基づく画像処理を施す特殊効果画像処理手段と、を備え、
前記特殊効果選択手段による特殊効果の選択及び前記特殊効果画像処理手段による画像処理は、撮影指示スイッチの操作又は外部機器からのトリガ入力時に行うことを特徴とするデジタルカメラ。
【請求項２】
前記撮像手段から得た画像データと、前記特殊効果画像処理手段による画像処理後の画像データのうちの少なくとも一方に基づいて、被写体像に特殊効果が付与されていないスルー画像と、被写体像に特殊効果を付与した特殊効果画像のうちの少なくとも一方を表示する画像表示手段を有することを特徴とする請求項１のデジタルカメラ。
【請求項３】
少なくとも前記特殊効果画像処理手段による画像処理後の画像データを記録媒体に記録する記録手段を有することを特徴とする請求項１又は２のデジタルカメラ。
【請求項４】
少なくとも撮影指示スイッチの操作又は外部機器からのトリガ入力時に前記撮像手段から得た画像データとともに、前記特殊効果選択手段によって選択された特殊効果を示すデータを記録媒体に記録する記録手段を有することを特徴とする請求項１又は２のデジタルカメラ。
【請求項５】
前記スルー画像、特殊効果画像、及びスルー画像と特殊効果画像とを混在させたミックス画像のうちの１つを選択して前記画像表示手段に表示させる表示切換スイッチを有することを特徴とする請求項２のデジタルカメラ。
【請求項６】
コマ送りスイッチと、前記コマ送りスイッチの操作に応じて前記記録媒体から所望のコマの画像データと該画像データに対応する特殊効果を示すデータとを読み出す読出手段とを有し、
前記特殊効果画像処理手段は、前記読出手段によって読み出された画像データと該画像データに対応する特殊効果を示すデータとに基づいて画像処理を施すことを特徴とする請求項４のデジタルカメラ。
【請求項７】
被写体を撮像し、被写体像を示す画像データに変換する撮像手段と、
乱数発生手段を有し、該乱数発生手段から発生された乱数値によって複数の特殊効果のうちから１つの特殊効果を選択する特殊効果選択手段と、
前記撮像手段から得た１コマの画像データに対して、前記特殊効果選択手段によって選択された特殊効果に基づく画像処理を施す特殊効果画像処理手段と、
撮影指示スイッチの操作又は外部機器からのトリガ入力時に前記撮像手段から得た画像データを記録媒体に記録する記録手段と、
コマ送りスイッチと、
該コマ送りスイッチの操作に応じて前記記録媒体から画像データを読み出す読出手段と、を備え、
前記特殊効果選択手段による特殊効果の選択及び前記特殊効果画像処理手段による画像処理は、前記記録媒体から新たな画像データが読み出される毎に行うことを特徴とするデジタルカメラ。
【請求項８】
前記記録媒体への記録を指示する保存スイッチと、該保存スイッチがＯＮされずに所定時間経過したことを検知するタイマーとを有し、
前記特殊効果選択手段は、前記タイマーによって所定時間経過したことが検知されると、再起動されて新たな特殊効果を選択することを特徴とする請求項３又は４のデジタルカメラ。
【請求項９】
被写体を撮像し、被写体像を示す画像データに変換する撮像手段と、
乱数発生手段を有し、該乱数発生手段から発生された乱数値によって複数の特殊効果のうちから１つの特殊効果を選択する特殊効果選択手段と、
前記撮像手段から得た１コマの画像データに対して、前記特殊効果選択手段によって選択された特殊効果に基づく画像処理を施す特殊効果画像処理手段と、
撮影指示スイッチの操作又は外部機器からのトリガ入力時に前記撮像手段から得た画像データを記録媒体に記録する記録手段と、
コマ送りスイッチと、
該コマ送りスイッチの操作に応じて前記記録媒体から画像データを読み出す読出手段と、
外部プリンタに画像データを送出する通信インターフェースと、を備え、
前記特殊効果選択手段による特殊効果の選択及び前記特殊効果画像処理手段による画像処理は、前記記録媒体から新たな画像データが読み出される毎に行い、該特殊効果を付与した画像データを前記通信インターフェースを介して前記外部プリンタに送出することを特徴とするデジタルカメラ。
【請求項１０】
前記外部プリンタによる印画を指示する印画スイッチと、該印画スイッチがＯＮされずに所定時間経過したことを検知するタイマーとを有し、
前記特殊効果選択手段は、前記タイマーによって所定時間経過したことが検知されると、再起動されて新たな特殊効果を選択することを特徴とする請求項９のデジタルカメラ。
【請求項１１】
被写体を撮像し、被写体像を示す画像データに変換する撮像手段と、
乱数発生手段を有し、該乱数発生手段から発生された乱数値によって複数の特殊効果のうちから１つの特殊効果を選択する特殊効果選択手段と、
前記撮像手段から得た１コマの画像データに対して、前記特殊効果選択手段によって選択された特殊効果に基づく画像処理を施す特殊効果画像処理手段と、
撮影指示スイッチの操作又は外部機器からのトリガ入力時に前記撮像手段から得た画像データを記録媒体に記録する記録手段と、
連続的に特殊効果画像を印画する自動印画モードを設定するモード設定手段と、
該モード設定手段によって自動印画モードが設定されると、印画開始前に前記記録媒体から画像データを順次読み出す読出手段と、
外部プリンタに画像データを送出する通信インターフェースと、を備え、
前記特殊効果選択手段による特殊効果の選択及び前記特殊効果画像処理手段による画像処理は、前記記録媒体から新たな画像データが読み出される毎に行い、該特殊効果を付与した画像データを前記通信インターフェースを介して前記外部プリンタに送出することを特徴とするデジタルカメラ。
【請求項１２】
レリーズ指令により被写体を撮像し、被写体像を示す該被写体像に特殊効果が付与されていない１コマのスルー画像の画像データを取得し、
乱数発生手段から乱数を発生させ、
前記乱数発生手段から発生された乱数値によって複数の特殊効果から１つの特殊効果を選択し、
前記１コマのスルー画像の画像データに対して前記選択した特殊効果に基づく画像処理を施して特殊効果画像を示す画像データを作成するようにしたことを特徴とするデジタルカメラにおける画像処理方法。
【請求項１３】
前記複数の特殊効果は、前記スルー画像と、予め記憶された複数のテンプレート画像のうちから選択された１つのテンプレート画像との画像合成を含む請求項１２のデジタルカメラにおける画像処理方法。
【請求項１４】
前記複数の特殊効果は、スルー画像の縦横の倍率を変える痩せ太、変形、モーフィング、ピンぼけ、ぶれ、ＡＥレベルを崩す色白色黒、セピア調、白黒、ぼかし、逆光、油絵調、モザイク、点描、ソラリゼーション、減色、カラーバランス崩し、ハイキー、及びローキーのうちの２つ以上である請求項１２又は１３のデジタルカメラにおける画像処理方法。
【請求項１５】
撮影指示スイッチの操作又は外部機器からのトリガ入力時に前記特殊効果の選択を行うことを特徴とする請求項１２のデジタルカメラにおける画像処理方法。
【請求項１６】
前記スルー画像の画像データを記録媒体に記録し、該記録媒体から再生又は印画のためにスルー画像の画像データを読み出す時に前記特殊効果の選択を行うことを特徴とする請求項１２のデジタルカメラにおける画像処理方法。
【請求項１７】
連写撮影時に取得した複数コマのスルー画像の画像データを記録媒体に記録し、
(a) 前記連写撮影後に連写された複数コマのスルー画像の画像データから１コマのスルー画像の画像データを読み出し、
(b) 前記読み出したスルー画像の画像データについて前記特殊効果の選択を行い、
(c) 前記選択された特殊効果に基づいて画像処理し、
(d) 前記画像処理後の特殊効果画像を示す画像データを前記記録媒体に記録し、
前記連写された複数コマのスルー画像について前記(a) 〜(d) の処理を繰り返すことを特徴とする請求項１２のデジタルカメラにおける画像処理方法。
【請求項１８】
連写撮影時に取得した複数コマのスルー画像の画像データとともに前記選択された特殊効果を示すデータを記録媒体に記録し、
(a) 前記連写撮影後に連写された複数コマのスルー画像の画像データから１コマのスルー画像の画像データと、該画像データとともに記録された特殊効果を示すデータを読み出し、
(b) 前記読み出したスルー画像の画像データを同時に読み出した特殊効果を示すデータに基づいて画像処理し、
(c) 前記画像処理後の特殊効果画像を示す画像データを前記記録媒体に記録し、
前記連写された複数コマのスルー画像について前記(a) 〜(c) の処理を繰り返すことを特徴とする請求項１２のデジタルカメラにおける画像処理方法。
【請求項１９】
レリーズ指令により被写体を撮像し、被写体像を示す該被写体像に特殊効果が付与されていない１コマのスルー画像の画像データを取得し、
(a) 乱数発生手段から乱数を発生させ、
(b) 前記乱数発生手段から発生された乱数値によって複数の特殊効果から１つの特殊効果を選択し、
(c) 前記１コマのスルー画像の画像データに対して前記選択した特殊効果に基づく画像処理を施して特殊効果画像を示す画像データを作成し、
(d) 前記特殊効果画像を示す画像データに基づいて特殊効果画像を画像表示手段に表示し、
保存スイッチをＯＮすることにより前記特殊効果画像を示すデータを記録媒体に記録し、
前記保存スイッチがＯＮされずに所定時間経過したことが検知されると、前記(a) 〜(d) の処理を繰り返すことを特徴とするデジタルカメラにおける画像処理方法。
【請求項２０】
レリーズ指令により被写体を撮像し、被写体像を示す該被写体像に特殊効果が付与されていない１コマのスルー画像の画像データを取得し、
前記スルー画像の画像データを記録媒体に記録し、
コマ送りスイッチを操作することにより前記記録媒体から所望のスルー画像を読み出し、
(a) 乱数発生手段から乱数を発生させ、
(b) 前記乱数発生手段から発生された乱数値によって複数の特殊効果から１つの特殊効果を選択し、
(c) 前記読み出した１コマのスルー画像の画像データに対して前記選択した特殊効果に基づく画像処理を施して特殊効果画像を示す画像データを作成し、
(d) 前記特殊効果画像を示す画像データに基づいて特殊効果画像を画像表示手段に表示し、
印画スイッチをＯＮすることにより前記特殊効果画像を外部プリンタに出力して印画を行わせ、
前記印画スイッチがＯＮされずに所定時間経過したことが検知されると、前記(a) 〜(d) の処理を繰り返すことを特徴とするデジタルカメラにおける画像処理方法。
【発明の詳細な説明】
【０００１】
【発明の属する技術分野】
本発明はデジタルカメラ及びデジタルカメラにおける画像処理方法に係り、特に撮像した被写体像に特殊効果を付与する画像処理を施して特殊効果画像を作成するデジタルカメラ及びデジタルカメラにおける画像処理方法に関する。
【０００２】
【従来の技術】
従来、デジタルカメラによって撮影した被写体像（スルー画像）を示す画像データをコンピュータに取り込み、その画像データをコンピュータで画像処理することにより、スルー画像に対して特殊な効果を与えた特殊効果画像を示す画像データの作成が実現されている。例えば、各種のフィルタを使用してスルー画像に対して変形、ぼかし等の特殊な効果を与えたり、予め準備されている背景画像となるテンプレート画像とスルー画像とを合成したりしている。
【０００３】
また、近年、撮影時に取得したスルー画像と、予め準備されているテンプレート画像と合成するようにした合成写真機能付きデジタルカメラが提案されている。
【０００４】
【発明が解決しようとする課題】
ところで、上記コンピュータを使用してスルー画像に対して特殊な効果を与える場合には、スルー画像に対して特殊効果を付与することができるコンピュータが必要であり、またコンピュータの操作に不慣れな人は、特殊効果画像を簡単に作成することができないという問題がある。また、合成写真機能付きデジタルカメラによってスルー画像とテンプレート画像とを合成した特殊効果画像を得る場合にも、予め背景画像となるテンプレート画像を選択しなければならない。
【０００５】
更に、撮影者の操作に基づいてスルー画像に対して特殊効果を付与するため、撮影者が予期しない面白い画像を得ることができない。
本発明はこのような事情に鑑みてなされたもので、撮影者が予期しない面白い画像を簡単に得ることができるデジタルカメラ及びデジタルカメラにおける画像処理方法を提供することを目的とする。
【０００６】
【課題を解決するための手段】
本発明は前記目的を達成するために、レリーズ指令により被写体を撮像し、被写体像を示すスルー画像の画像データを取得し、乱数発生手段から乱数を発生させ、前記乱数発生手段から発生された乱数値によって複数の特殊効果から１つの特殊効果を選択し、前記スルー画像の画像データに対して前記選択した特殊効果に基づく画像処理を施して特殊効果画像を示す画像データを作成するようにしたことを特徴としている。
【０００７】
即ち、本発明によれば、被写体像を示すスルー画像に対してランダムに選択された特殊効果が付与されるため、撮影者が予期しない特殊効果画像を簡単に得ることができる。
上記スルー画像及び／又は特殊効果画像は、請求項２に示すように画像表示手段に表示される。尚、請求項５に示すように表示切換スイッチを設け、スルー画像、特殊効果画像、及びスルー画像と特殊効果画像とを混在させたミックス画像のうちの１つを選択して画像表示手段に表示させるようにしてもよい。
【０００８】
また、記録時に、請求項３に示すように特殊効果画像処理手段による画像処理後の画像データを直接記録媒体に記録してもよいし、請求項４に示すように撮影指示スイッチの操作又は外部機器からのトリガ入力時に前記撮像手段から得た画像データとともに、特殊効果選択手段によって選択された特殊効果を示すデータを記録するようにしてもよい。尚、請求項４に示すファイルフォーマットで記録されている場合には、特殊効果画像の再生は、画像データとその画像データとともに記録されている特殊効果を示すデータに基づいて行われる。
【０００９】
ランダムに特殊効果を選択する時期は、請求項７及び請求項１６に示すように撮影指示スイッチの操作又は外部機器からのトリガ入力時や、請求項８及び請求項１７に示すように記録媒体から再生又は印画のためにスルー画像の画像データを読み出す時や、請求項１２に示すように自動印画モードが設定され、印画開始前に新たなスルー画像の画像データを読み出す時である。
【００１０】
更に、本発明は請求項９及び請求項２０に示すように、保存スイッチをＯＮすることにより特殊効果画像を示すデータを記録媒体に記録し、保存スイッチがＯＮされずに所定時間経過したことが検知されると、再度ランダムに特殊効果を選択するようにしている。これにより、保存スイッチをＯＮしなければ、特殊効果画像がランダムに変化することになり、保存したい特殊効果画像が作成されたときに保存スイッチをＯＮすれば、所望の特殊効果画像のみを保存することができる。
【００１１】
同様に、本発明は請求項１１及び請求項２１に示すように、印画スイッチをＯＮすることにより特殊効果画像を外部プリンタに出力して印画を行わせ、印画スイッチがＯＮされずに所定時間経過したことが検知されると、再度ランダムに特殊効果を選択するようにしている。これにより、印画スイッチをＯＮしなければ、特殊効果画像がランダムに変化することになり、印画したい特殊効果画像が作成されたときに印画スイッチをＯＮすれば、所望の特殊効果画像のみを印画することができる。
【００１２】
また、本発明は請求項１８に示すように、連写撮影時に一旦複数コマのスルー画像の画像データを記録媒体に記録し、連写撮影後に連写された複数コマのスルー画像について、各コマ毎に特殊効果の選択、選択された特殊効果に基づく画像処理、画像処理後の特殊効果画像を示す画像データの記録媒体への記録を行うようにしている。即ち、スルー画像に対して特殊効果を付与するめの画像処理の時間、及び特殊効果画像を示す画像データの記録に要する時間が、連写時のインターバルよりも長くても連写された各スルー画像に特殊効果を付与することができる。尚、請求項１９に示すように、連写撮影時に一旦複数コマのスルー画像の画像データとともに特殊効果を示すデータを記録媒体に記録し、その後、各スルー画像毎に特殊効果に基づく画像処理、画像処理後の特殊効果画像を示す画像データの記録媒体への記録を行うようにしてもよい。
【００１３】
【発明の実施の形態】
以下添付図面に従って本発明に係るデジタルカメラ及びデジタルカメラにおける画像処理方法の好ましい実施の形態について詳説する。
図１は本発明に係るデジタルカメラの内部構造を示すブロック図である。
同図に示すように、このデジタルカメラは、主としてＣＣＤ撮像系１０と、メインＣＰＵ２０と、オートＣＰＵ２１と、メモリコントローラ２５と、特殊効果画像処理部２６と、外部メモリインターフェース２９と、メインメモリ４０と、乱数ジェネレータ４２と、タイマー４４と、液晶表示器（ＬＣＤ）４６と、通信インターフェース４８と、外部メモリ５０と、スイッチ部６０とから構成されている。
【００１４】
ＣＣＤ撮像系１０は、ズームレンズ１０Ａ、絞り１０Ｂ及び光学ローパスフィルタ１０Ｃからなる撮像光学系１１と、ＣＣＤ１２と、ＣＤＳクランプ１３、ゲインコントロールアンプ１４、ガンマ補正回路１５及び点順次化回路１６からなるアナログ処理部と、Ａ／Ｄコンバータ１７とから構成されている。
前記撮像光学系１１を介してＣＣＤ１２の受光面に結像された被写体像は、各センサで光の入射光量に応じた量の信号電荷に変換される。このようにして蓄積された信号電荷は、図示しないＣＣＤ駆動回路から加えられるリードゲートパルスによってシフトレジスタに読み出され、レジスタ転送パルスによって信号電荷に応じた電圧信号（アナログ画像信号）として順次読み出される。尚、ＣＣＤ１２には、シャッタゲートを介してシャッタドレインが設けられており、シャッタゲートをシャッタゲートパルスによって駆動することにより、蓄積した信号電荷をシャッタドレインに掃き出すことができる。即ち、このＣＣＤ１２は、シャッタゲートパルスによって各センサに蓄積される電荷の蓄積時間（シャッタスピード）を制御する、いわゆる電子シャッタ機能を有している。
【００１５】
ＣＣＤ１２から読み出されたアナログ画像信号は、ＣＤＳクランプ１３で各画素毎にサンプリングホールドされ、且つＲ，Ｇ，Ｂ信号に色分離されてゲインコントロールアンプ１４に加えられる。ゲインコントロールアンプ１４は、入力するＲ，Ｇ，Ｂ信号を適宜のゲインで増幅し、ホワイトバランスを調整する。尚、このホワイトバランス調整の詳細については後述する。
【００１６】
ゲインコントロールアンプ１４から出力されたＲ，Ｇ，Ｂ信号は、ガンマ補正回路１５に加えられ、ここでガンマ補正されて点順次化回路１６に加えられる。点順次化回路１６は、同時式で入力するＲ，Ｇ，Ｂ信号を点順次式に変えてＡ／Ｄコンバータ１７に出力し、Ａ／Ｄコンバータ１７は、点順次で入力するＲ，Ｇ，Ｂ信号を順次デジタル信号に変換する。これらのＲ，Ｇ，Ｂ信号は、メモリコントローラ２５を介してメインメモリ４０に格納される。
【００１７】
メインＣＰＵ２０は、バスライン３０を介してオートＣＰＵ２１、キャラクタジェネレータ２２、ＬＣＤドライバ２３、ＹＣ信号作成回路２４、メモリコントローラ２５、特殊効果画像処理部２６、ＮＴＳＣエンコーダ２７、圧縮／伸長回路２８、及び外部メモリインターフェース２９と接続されており、スイッチ部６０、乱数ジェネレータ４２、タイマー４４等からの入力に基づいて各回路を統括制御する。
【００１８】
オートＣＰＵ２１は、オートフォーカス、自動露光制御、オートストロボ、オートホワイトバランス等の制御を行うもので、ＡＦセンサ３１から撮影距離を示すＡＦ情報が加えられ、また、メモリコントローラ２５を介してＲ，Ｇ，Ｂのデジタル信号が加えられている。オートＣＰＵ２１は、ＡＦセンサ３１から入力するＡＦ情報に基づいてＡＦモータドライバ３２を介してＡＦモータ（図示せず）を駆動し、ズームレンズ１１Ａのフォーカスレンズを合焦位置に移動させる。
【００１９】
また、オートＣＰＵ２１は、１フレームのＲ，Ｇ，Ｂのデジタル信号を積算した積算値（ＡＥ情報）や、Ｒ，Ｇ，Ｂの各色毎に積算した色積算値（ＡＷＢ情報）を求めている。そして、ＡＥ情報に基づいて絞り値とシャッタスピードを決定し、その決定した絞り値となるようにアイリスモータドライバ３３及びアイリスモータ（図示せず）を介して絞り１０Ｂを駆動し、また、決定したシャッタスピードとなるように電子シャッタによって電荷の蓄積時間を制御する。更に、前記求めたＡＷＢ情報に基づいてＲ，Ｇ，Ｂ信号のゲインを決定し、電子ボリューム３４を介してゲインコントロールアンプ１４の各ゲインを制御する。
【００２０】
オートＣＰＵ２１は、ストロボ３５も制御する。例えば、低輝度時にストロボ撮影をすることを判断すると、後述するレリーズ／コマ送りスイッチ６１の操作に基づいて放電管３５Ａをストロボ発光させるためのトリガー信号を出力する。これにより、図示しないメインコンデンサに蓄えられた電気エネルギが放電管３５Ａに供給され、放電管３５Ａが発光する。オートＣＰＵ２１には、被写体からの反射光を受光する調光センサ３６から受光量を示す信号が加えられており、オートＣＰＵ２１は、その受光量が所定量に達したことを検知すると、放電管３５Ａへの電気エネルギを遮断し、ストロボ発光を停止させる。尚、オートＣＰＵ２１は、低輝度時に限らず、強制発光ボタンがＯＮされた場合に発光できるようにしてもよい。
【００２１】
キャラクタジェネレータ２２は、撮影日時、タイトル等の文字情報を発生することができ、この文字情報に基づいて撮影画像に文字を合成させることができる。ＬＣＤドライバ２３は、被写体像に特殊効果が付与されていないスルー画像や、被写体像に特殊効果を付与した特殊効果画像、又はスルー画像と特殊効果画像とを混在させたミックス画像をＬＣＤ４６に表示させるようにＬＣＤ４６を駆動する。
【００２２】
このＬＣＤ４６の画面は、図２に示すように特殊効果設定スイッチ６４及び表示切換スイッチ６８によって表示画像が切り換えられるようになってる。特殊効果設定スイッチ６４は、特殊効果の印画モード時、再生モード時又は撮影モード時の設定（ＯＮ）と非設定（ＯＦＦ）とを選択するもので、特殊効果設定スイッチ６４がＯＦＦの場合には、ＬＣＤ４６にはスルー画像が表示される（図２のステップＳ１、ステップＳ２）。
【００２３】
一方、特殊効果設定スイッチ６４がＯＮの場合には、表示切換スイッチ６８の切換位置に応じてＬＣＤ４６の表示画像が切り換えられる（ステップＳ３）。即ち、表示切換スイッチ６８の切換位置がスルー画像の位置にある場合には、スルー画像がＬＣＤ４６に表示され（ステップＳ４）、表示切換スイッチ６８の切換位置が特殊効果画像の位置にある場合には、特殊効果画像がＬＣＤ４６に表示される（ステップＳ５）。
【００２４】
また、ステップＳ６に示すように表示切換スイッチ６８の切換位置が、スルー画像と特殊効果画像とをオーバーラップさせた画像Ａ，Ｂの位置にある場合には、そのオーバーラップ画像Ａ又はＢがＬＣＤ４６に表示され、表示切換スイッチ６８の切換位置が、スルー画像に特殊効果画像を５０％ミックスした画像Ｃ又は２５％ミックスした画像Ｄの位置にある場合には、ミッスク画像Ｃ又はＤがＬＣＤ４６に表示される。尚、ＬＣＤ４６の画面は、特殊効果の設定時にも使用されるが、その詳細については後述する。
【００２５】
ＹＣ信号作成回路２４は、入力するＲ，Ｇ，Ｂのデジタル信号から輝度信号Ｙと、クロマ信号Ｃ（色差信号Ｂ−Ｙ，Ｒ−Ｙ）とを作成し、また、エンコーダ２７は、入力する輝度信号Ｙ，色差信号Ｂ−Ｙ，Ｒ−Ｙに基づいて、ＮＴＳＣ方式やＰＡＬ方式のカラー複合映像信号を生成し、これを図示しないビデオ出力端子に出力する。
【００２６】
特殊効果画像処理部２６は、スルー画像に特殊な効果を付与して特殊効果画像を作成するもので、スルー画像の背景画像となる複数のテンプレート画像を示す画像データを有するとともに、スルー画像に特殊な効果（変形、ぼかし等）を付与する画像処理用の複数のフィルタを有している。そして、後述する特殊効果の設定にしたがって特殊効果がランダムに選択されると、又は所望の特殊効果が選択されると、その選択された特殊効果に基づいて、スルー画像の画像データと適宜のテンプレート画像の画像データとを合成し、あるいはスルー画像の画像データに対してフィルタ操作を行い、これにより特殊効果が付与された特殊効果画像を示す画像データを作成する。
【００２７】
圧縮／伸長回路２８は、非圧縮データを圧縮し、又は圧縮データを非圧縮データに伸長するもので、画像データを圧縮記録する場合には、ＹＣ信号作成回路２４を介して作成された１フレーム分の輝度信号Ｙ、クロマ信号Ｃを所定の形式で圧縮し、その圧縮データを外部メモリインターフェース２９を介してスマートメディア等の外部メモリ５０に記録し、また、外部メモリ５０から外部メモリインターフェース２９を介して圧縮データを読み出す場合には、読み出した圧縮データを非圧縮データに伸長し、これをメモリコントローラ２５を介してメインメモリ４０に格納する。
【００２８】
また、メインＣＰＵ２０には、乱数ジェネレータ４２及びタイマー４４が接続されている。乱数ジェネレータ４２は、特殊効果をランダムに選択するための乱数値を出力し、タイマー４４は、ある特殊効果が選択されてからの時間を計時する。
通信インターフェース４８には、外部プリンタ、カラオケ機、ゲーム機等の外部機器が接続され、この通信インターフェース４８を介して外部機器との間で画像データを授受することができる。また、外部機器から撮影を行うための外部トリガを入力することもできる。
【００２９】
スイッチ部６０には、レリーズ／コマ送りスイッチ６１、モードスイッチ６２、ファイルフォーマットスイッチ６３、特殊効果設定スイッチ６４、印画スイッチ６５、決定／保存スイッチ６６、特殊効果／程度切換ダイヤル６７、表示切換スイッチ６８等が設けられている。
レリーズ／コマ送りスイッチ６１は、レリーズ／コマ送りスイッチ６１の半押しでＯＮするスイッチＳ１と、全押しでＯＮするスイッチＳ２とを有している。モードスイッチ６２は、印画モード、再生モード、撮影モード、又は電源ＯＦＦを選択するものであり、ファイルフォーマットスイッチ６３は、記録時の画像ファイルのフォーマットを選択するものである。また、特殊効果設定スイッチ６４は、特殊効果の設定時（印画モード時、再生モード時、撮影モード時）、又は非設定（ＯＦＦ）を選択するものである。尚、印画スイッチ６５、決定／保存スイッチ６６、特殊効果／程度切換ダイヤル６７等の詳細については後述する。
【００３０】
次に、図３乃至図５を参照しながら特殊効果の設定方法について説明する。
いま、特殊効果設定スイッチ６４によって撮影モード時の特殊効果設定を選択すると、撮影したスルー画像に特殊効果が付与されるが、その特殊効果は、図３に示す手順で設定される。
まず、図３に示すように記録時期設定ＰＴ１を行う（ステップＳ１０）。このＰＴ１は、画像データを撮影と同時に記録するか、プレビュー画面で確認してから記録するかを設定するパラメータで、例えばＬＣＤ４６の画面には、次表、
【００３１】
【表１】
0004412749.tif 000002
に示す情報が表示される。
【００３２】
撮影者は、特殊効果／程度切換ダイヤル６７を操作してＬＣＤ４６の画面上でＴＰ１＝０又は１を選択する。そして、決定／保存スイッチ６６をＯＮすると、ＴＰ１が決定され、ステップＳ１２に移行する。
ステップＳ１２では、特殊効果種別設定ＴＰ２を行う。このＴＰ２は、特殊効果の種別を設定（又はランダムに設定）するパラメータで、例えばＬＣＤ４６の画面には、次表、
【００３３】
【表２】
0004412749.tif 000003
に示す情報が表示される。
【００３４】
撮影者は、特殊効果／程度切換ダイヤル６７を操作してＬＣＤ４６の画面上でＴＰ２＝０〜９のうちのいずれかを選択する。そして、決定／保存スイッチ６６をＯＮすると、ＴＰ２が決定され、ステップＳ１４に移行する。表２において、ランダム（ＴＰ２＝０）が選択されると、ＴＰ２＝１〜９に示す特殊効果種別のうちのいずれか１つの特殊効果がランダムに選択される。
【００３５】
ＴＰ２＝１〜３は、テンプレート画像の種別を示し、ＴＰ２＝１の場合には、おみじくを示す複数のテンプレート画像群が選択され、ＴＰ２＝２の場合には、撮影地を示す複数のテンプレート画像群が選択され、ＴＰ２＝３の場合には、通信インターフェース４８を介して入力するカラオケ機やゲーム機の画像がテンプレート画像として選択される。
【００３６】
図６はおみじくを示す複数のテンプレート画像群のうちの１つのテンプレート画像の一例を示す。同図に示すテンプレート画像は、複数のテンプレート画像群に共通する部分と、変化する部分（星印の数や、方位）とから構成されているため、共通する部分と変化する部分とを別々に記憶し、変化する部分のみを選択して共通する部分と合成することにより１つのテンプレート画像を構成することができる。
【００３７】
図７は撮影地を示す複数のテンプレート画像群のうちの１つのテンプレート画像の一例を示し、図８はテンプレート画像として取り込まれたカラオケ機の画像の一例を示し、図９はテンプレート画像として取り込まれたゲーム機の画像の一例を示す。図７乃至図９に示すテンプレート画像では、撮影年月日が合成されるようになっている。
【００３８】
尚、複数のテンプレート画像群のうちから１つのテンプレート画像を選択する選択方法については後述する。
一方、ＴＰ２＝４〜５は、フィルタ操作によってスルー画像に特殊効果を付与するフィルタ操作の種別を示し、ＴＰ２＝４（痩せ太）の場合には、図１０（Ａ）に示すスルー画像（ノーマル）に対して図１０（Ｂ）〜（Ｄ）に示すように縦方向の画素数を増やして痩せた特殊効果画像の作成や、図１１（Ａ）に示すスルー画像（ノーマル）に対して図１１（Ｂ）〜（Ｄ）に示すように横方向の画素数を増やして太った特殊効果画像の作成を行うフィルタ操作が選択される。また、ＴＰ２＝５の場合には、スルー画像に対してモーフィングのフィルタ操作が選択され、ＴＰ２＝６の場合には、スルー画像に対してピンぼけのフィルタ操作が選択され、ＴＰ２＝７の場合には、スルー画像に対してぶれのフィルタ操作が選択され、ＴＰ２＝８の場合には、スルー画像に対して変形のフィルタ操作が選択され、ＴＰ２＝９の場合には、ＡＥレベルを崩す色白色黒のフィルタ操作が選択される。
【００３９】
このようにしてＴＰ２が決定されると、図３のステップＳ１４に移行する。ステップＳ１４では、特殊効果程度設定ＴＰ３を行う。このＴＰ３は、特殊効果の程度を設定（又はランダムに設定）するパラメータで、例えばＬＣＤ４６の画面には、次表、
【００４０】
【表３】
0004412749.tif 000004
に示す情報が表示される。
【００４１】
撮影者は、特殊効果／程度切換ダイヤル６７を操作してＬＣＤ４６の画面上でＴＰ３＝０〜３のうちのいずれかを選択する。そして、決定／保存スイッチ６６をＯＮすると、ＴＰ３が決定される。表３において、ランダム（ＴＰ３＝０）が選択されると、ＴＰ３＝１〜３に示す特殊効果程度のうちのいずれか１つの特殊効果程度がランダムに選択される。
【００４２】
このＴＰ３は、ＴＰ２＝４〜９の特殊効果種別に対して有効であり、ＴＰ２によって選択されたフィルタ操作の強弱を設定する。いま、ＴＰ２＝４（痩せ太）が選択され、かつＴＰ３＝３が選択されると、図１０（Ａ）又は図１１（Ａ）に示すスルー画像（ノーマル）に対し、図１０（Ｂ）又は図１１（Ｂ）に示すように少し痩せた又は少し太った画像処理が行われ、ＴＰ３＝２が選択されると、図１０（Ｃ）又は図１１（Ｃ）に示すように中程度の痩せた又は中程度に太った画像処理が行われ、ＴＰ３＝１が選択されると、図１０（Ｄ）又は図１１（Ｄ）に示すように大幅に痩せた又は大幅に太った画像処理が行われることになる。
【００４３】
このようにしてＴＰ３が決定されると、図３のステップＳ１６に移行する。ステップＳ１６では、トリガ情報設定ＴＰ４を行う。このＴＰ４は、選択されたテンプレート画像の種別の中で、１つのテンプレート画像をいずれの情報に基づいて選択するかを設定（又はランダムに設定）するパラメータで、例えばＬＣＤ４６の画面には、次表、
【００４４】
【表４】
0004412749.tif 000005
に示す情報が表示される。
【００４５】
撮影者は、特殊効果／程度切換ダイヤル６７を操作してＬＣＤ４６の画面上でＴＰ４＝０〜９のうちのいずれかを選択する。そして、決定／保存スイッチ６６をＯＮすると、ＴＰ４が決定される。表４において、ランダム（ＴＰ４＝０）が選択されると、ＴＰ４＝１〜１０に示すトリガ情報のうちのいずれか１つのトリガ情報がランダムに選択される。
【００４６】
このＴＰ４は、ＴＰ２＝１〜３の特殊効果種別に対して有効であり、ＴＰ２によって選択されたテンプレート画像の種別の中で１つのテンプレート画像を選択する際に、何れの情報を使用するかを特定する。
即ち、ＴＰ４＝１又は２は、テンプレート画像と合成するスルー画像の画像データをトリガ情報とする場合を示し、ＴＰ４＝１の場合には、スルー画像のＲＧＢのデータに基づいてテンプレート画像群から１つのテンプレート画像を選択する。例えば、ＲＧＢのデータのＲの最大値、最小値、Ｇの最大値、最小値、Ｂの最大値、最小値に基づいてそのスルー画像の特徴を示す値を算出する。そして、テンプレート画像群から前記算出した値に対応するテンプレート画像を選択する。同様に、ＴＰ４＝２の場合には、スルー画像の輝度信号Ｙと色差信号に基づいてスルー画像の特徴を示す値を算出し、その算出した値に基づいてテンプレート画像群から１つのテンプレート画像を選択する。
【００４７】
また、ＴＰ４＝３〜６は、カメラ撮影情報をトリガ情報とする場合を示し、ＴＰ４＝３の場合には、撮影時の絞り値Ｆに基づいてテンプレート画像群から１つのテンプレート画像を選択し、ＴＰ４＝４の場合には、撮影時の焦点距離ｆに基づいてテンプレート画像群から１つのテンプレート画像を選択し、ＴＰ４＝４の場合には、撮影時のストロボ発光量に基づいてテンプレート画像群から１つのテンプレート画像を選択する。
【００４８】
更に、ＴＰ４＝７〜９は、カメラセンシング情報をトリガ情報とする場合を示し、ＴＰ４＝７の場合には、被写体の明るさを示すＡＥ情報に基づいてテンプレート画像群から１つのテンプレート画像を選択し、ＴＰ４＝８の場合には、撮影距離を示すＡＦ情報に基づいてテンプレート画像群から１つのテンプレート画像を選択し、ＴＰ４＝９の場合には、被写体の色温度に関連するＡＷＢ情報に基づいてテンプレート画像群から１つのテンプレート画像を選択する。
【００４９】
また、ＴＰ４＝１０は、通信インターフェース４８を介して入力するカラオケ機やゲーム機での得点をトリガ情報とする場合を示し、ＴＰ４＝１０の場合には、カラオケ機やゲーム機での得点に基づいてテンプレート画像群から１つのテンプレート画像を選択する。
このようにしてＴＰ４が決定されると、図３のステップＳ１８に移行する。ステップＳ１８では、タイマー設定ＴＰ５を行う。このＴＰ５は、上記ＴＰ２〜ＴＰ４によって選択された特殊効果を、所定時間経過毎に選択のやり直しを行うかどうかを設定するパラメータで、例えばＬＣＤ４６の画面には、次表、
【００５０】
【表５】
0004412749.tif 000006
に示す情報が表示される。
【００５１】
撮影者は、特殊効果／程度切換ダイヤル６７を操作してＬＣＤ４６の画面上でＴＰ５＝０又は１を選択する。そして、決定／保存スイッチ６６をＯＮすると、ＴＰ５が決定され、撮影モード時の特殊効果の設定が終了する。尚、ＴＰ５＝０が選択された場合には、上記ＴＰ２〜ＴＰ４によって一旦選択された特殊効果は、時間が経過しても変化しないが、ＴＰ５＝１が選択された場合には、ある特殊効果が選択されてからタイマー４４によって所定時間経過したことが検知される毎にＴＰ２〜ＴＰ４によって特殊効果の選択がやり直される。
上記のようにして特殊効果を設定し、その特殊効果をスルー画像に付与する時期は、図３に示した撮影モード時に限らず、再生モード時及び印画モード時に行うことができる。
即ち、特殊効果設定スイッチ６４によって再生モード時の特殊効果設定を選択すると、再生したスルー画像に特殊効果が付与されるが、この特殊効果は、図４に示す手順で設定される。同図に示すように、まず、ステップＳ２０によって特殊効果種別設定ＰＢ１を行う（ステップＳ２０）。このＰＢ１の設定は、前述した図３のステップＳ１２と同様に行われる（表２参照）。また、ステップＳ２２の特殊効果程度設定ＰＢ２、ステップＳ２４のトリガ情報設定ＰＢ３、及びステップＳ２６のタイマー設定ＰＢ４も、図３のステップＳ１４、ステップＳ１６及びステップＳ１８と同様に行われる（表３、表４及び表５参照）。
また、特殊効果設定スイッチ６４によって印画モード時の特殊効果設定を選択すると、印画すべく読み出されたスルー画像に特殊効果が付与されるが、この特殊効果は、図５に示す手順で設定される。同図に示すように、まず、ステップＳ３０によって印画モード設定ＰＲ１を行う（ステップＳ３０）。このＰＲ１は、プレビュー画面で確認しながら印画スイッチ６５の手動操作によって１枚ずつ印画するか、自動的に順次印画するかを設定するパラメータで、例えばＬＣＤ４６の画面には、次表、
【００５２】
【表６】
0004412749.tif 000007
に示す情報が表示される。
【００５３】
撮影者は、特殊効果／程度切換ダイヤル６７を操作してＬＣＤ４６の画面上でＰＲ１＝０又は１を選択する。そして、決定／保存スイッチ６６をＯＮすると、ＰＲ１が決定され、ステップＳ３２に移行する。
尚、ステップＳ３２の特殊効果種別設定ＰＲ２、ステップＳ３４の特殊効果程度設定ＰＲ３、ステップＳ３６のトリガ情報設定ＰＲ４、及びステップＳ３８のタイマー設定ＰＲ５は、図３のステップＳ１２、ステップＳ１４、ステップＳ１６及びステップＳ１８と同様に行われる（表２、表３、表４及び表５参照）。
次に、撮影時にスルー画像に特殊効果を付与する場合の手順について、図１２乃至図１４を参照しながら説明する。
図１２は撮影時にスルー画像に特殊効果を付与する場合のデータの流れを示すブロック図であり、図１３及び図１４は撮影モードシーケンスを示すフローチャートである。尚、図１２において、図１と共通する部分には同一の符号が付されている。
【００５４】
この撮影モードシーケンスは、モードスイッチ６２によって撮影モードが選択された場合に開始され、まず、図１３に示すように外部機器から外部トリガを入力したか、又はレリーズ／コマ送りスイッチ６１のスイッチＳ１、Ｓ２がＯＮされたか否かを判別する（ステップＳ１００、Ｓ１０２、Ｓ１０４）。そして、外部トリガの入力又はスイッチＳ１、Ｓ２のＯＮが判別されると、特殊効果設定スイッチ６４が撮影時に設定されているか否かを判別する（ステップＳ１０６）。
【００５５】
特殊効果設定スイッチ６４が撮影時に設定されていない場合には、直ちに撮影が行われる（ステップＳ１０８）。即ち、ＣＣＤ撮像系１０から得た１フレーム分の画像データをメインメモリ４０に格納する。そして、メインメモリ４０に格納した画像データに基づいてＣＣＤドライバ２３を駆動し、被写体像を示すスルー画像をＬＣＤ４６に表示させる（ステップＳ１１０）。続いて、画像ファイルに撮影時のカメラ撮影情報を埋め込み（ステップＳ１１２）、また、画像データを圧縮／伸長回路２８で圧縮し、その圧縮データを外部メモリインターフェース２９を介して外部メモリ５０に記録する（ステップＳ１１４）。尚、画像データ（非圧縮データ）をそのまま外部メモリ５０に記録してもよい。
【００５６】
次に、撮影モードが連続撮影モードか否かを判別し（ステップＳ１１６）、連続撮影モードでない場合（即ち、単写モードの場合）には撮影モードシーケンスを終了し、連続撮影モードの場合にはステップＳ１００に戻る。尚、単写モード、連続撮影モード等の設定は、ＬＣＤ４６の画面を利用して適宜設定できるようになっている。
【００５７】
一方、ステップＳ１０４で特殊効果設定スイッチ６４が撮影時に設定されていると判別すると、ステップＳ１２０〜Ｓ１３０によってスルー画像に付与する特殊効果を決定する。
即ち、ステップＳ１２０で、特殊効果種別設定ＴＰ２が０か否かを判別し、ＴＰ２＝０の場合には、乱数ジェネレータ４２から１〜９の乱数を発生させ、この乱数ジェネレータ４２から入力した乱数値に対応する特殊効果種別を決定する（ステップＳ１２２、表２参照）。ＴＰ２≠０の場合には、０以外のＴＰ２によって設定された特殊効果種別を選択する。尚、通信インターフェース４８にカラオケ機やゲーム機が接続されていない場合には、ＴＰ２＝３が選択されないようにする。
続いて、ステップＳ１２４で、特殊効果程度設定ＴＰ３が０か否かを判別し、ＴＰ３＝０の場合には、乱数ジェネレータ４２から１〜３の乱数を発生させ、この乱数ジェネレータ４２から入力した乱数値に対応する特殊効果程度を決定する（ステップＳ１２６、表３参照）。ＴＰ３≠０の場合には、０以外のＴＰ３によって設定された特殊効果程度を選択する。
次に、ステップＳ１２８で、トリガ情報設定ＴＰ４が０か否かを判別し、ＴＰ４＝０の場合には、乱数ジェネレータ４２から１〜１０の乱数を発生させ、この乱数ジェネレータ４２から入力した乱数値に対応するトリガ情報を決定する（ステップＳ１３０、表４参照）。ＴＰ４≠０の場合には、０以外のＴＰ４によって設定されたトリガ情報を選択する。尚、通信インターフェース４８にカラオケ機やゲーム機が接続されていない場合には、ＴＰ４＝１０が選択されないようにする。
上記のようして特殊効果が決定されると、ステップＳ１３２で撮影を行ったのち、図１４のステップＳ１３４に移行する。
【００５８】
ステップＳ１３４では、外部トリガによる撮影か否かを判別し、外部トリガによる撮影の場合には、外部機器情報を入手する（ステップＳ１３６）。この外部機器情報としては、カラオケ機やゲーム機などの外部機器に表示されている画像や得点のデータ、スルー画像が合成される領域を示すデータ等である。そして、上記外部機器情報によってテンプレート画像を決定し（ステップＳ１３８）、このテンプレート画像とステップＳ１３２で撮影したスルー画像とを合成する（ステップＳ１４０）。尚、キャラクタジェネレータ２２から発生される撮影年月日等の文字情報を同時に合成してもよい。
【００５９】
また、ステップＳ１３４で、外部トリガによる撮影でない（即ち、レリーズ／コマ送りスイッチ６１による撮影である）と判別すると、ステップＳ１４２に進み、ここでＴＰ２≧４か否かを判別する。ＴＰ２≧４でない場合には、ＴＰ２によって選択されたテンプレート画像群と、ＴＰ４によって選択されたトリガ情報の値とに基づいて１つのテンプレート画像を決定し（ステップＳ１３８）、このテンプレート画像とステップＳ１３２で撮影したスルー画像とを合成する（ステップＳ１４０）。
このようにしてスルー画像にテンプレート画像が合成された画像（スルー画像に特殊効果が付与された画像）は、ＬＣＤ４６に表示される（ステップＳ１４６）。
一方、ステップＳ１４２でＴＰ２≧４と判別されると、そのＴＰ２によって選択された特殊効果種別とＴＰ３によって選択された特殊効果程度とに基づいて、ステップＳ１３２で撮影したスルー画像を画像処理する（ステップＳ１４４）。そして、スルー画像を特殊効果種別及び特殊効果程度に応じてフィルタ操作した画像（スルー画像に特殊効果が付与された画像）は、ＬＣＤ４６に表示される（ステップＳ１４６）。
【００６０】
次に、記録時期設定ＴＰ１が０か否かを判別する（ステップＳ１４８）。ＴＰ１＝０の場合には、画像ファイルに撮影時のカメラ撮影情報を埋め込み（ステップＳ１５０）、続いてファイルフォーマットスイッチ６３が「画像ファイル」の位置か「手順ファイル」の位置かを判別する（ステップＳ１５２）。このファイルフォーマットスイッチ６３は、記録時の画像ファイルのフォーマットを選択するスイッチで、「画像ファイル」の位置にある場合には、スルー画像に特殊効果を付与した画像処理後の画像データを記録するファイルフォーマットの選択を意味し、「手順ファイル」の位置にある場合には、スルー画像を示す画像データと、そのスルー画像に付与する特殊効果を示すデータ（手順ファイル）を記録するファイルフォーマットの選択を意味する。
【００６１】
そして、ファイルフォーマットスイッチ６３が「画像ファイル」の位置にある場合には、スルー画像に特殊効果を付与した画像処理後の画像データを外部メモリ５０に記録し（ステップＳ１５４）、「手順ファイル」の位置にある場合には、スルー画像を示す画像データと、そのスルー画像に付与する特殊効果を示す手順ファイルを外部メモリ５０に記録する（ステップＳ１５６）。
【００６２】
その後、撮影モードが連続撮影モードか否かを判別し（ステップＳ１５８）、単写モードの場合には撮影モードシーケンスを終了し、連続撮影モードの場合にはステップＳ１００に戻る。
一方、ステップＳ１４８でＴＰ１≠０と判別されると、続いてタイマー設定ＴＰ５が０か否かを判別する（ステップＳ１６０）。ＴＰ５＝０の場合にはステップＳ１６２に進み、ＴＰ５≠０の場合にはステップＳ１６４に進む。これらのステップＳ１６２及びＳ１６４は、それぞれ決定／保存スイッチ６６が押されたか否かを判別し、決定／保存スイッチ６６が押されたと判別すると、ステップＳ１５０に進み、上述したように特殊効果画像等が保存される。
【００６３】
一方、ステップＳ１６４において、決定／保存スイッチ６６が押されていないと判別されると、特殊効果が決定されてから所定時間経過したか否かを判別する（ステップＳ１６６）。尚、この所定時間は、ステップＳ１４６で表示されるＬＣＤ４６のプレビュー画面を見て、現在の特殊効果画像を保存するか否かを判断するのに適した時間である。また、所定時間の経過は、タイマー４４によって検知される。
【００６４】
上記ステップＳ１６６で所定時間経過したことが判別されると、ステップＳ１６８〜Ｓ１７８によってスルー画像に付与する特殊効果の再設定を行う。尚、ステップＳ１６８〜Ｓ１７８は、前述したステップＳ１２０〜Ｓ１３０と同様にして特殊効果を決定する。このようにして特殊効果を再設定すると、ステップＳ１３４に戻る。
【００６５】
これにより、ＴＰ１≠０、ＴＰ５≠０で、決定／保存スイッチ６６が押されない場合には、スルー画像に対して所定時間経過毎に新たな特殊効果が付与された特殊効果画像が作成され、ＬＣＤ４６に表示されることになる。従って、撮影者は、ＬＣＤ４６のプレビュー画面を見ながら決定／保存スイッチ６６を操作することにより、特殊効果画像を選択して保存することができる。
【００６６】
次に、連写によって複数枚撮影し、その全コマに特殊効果を付与する場合の手順について、図１５乃至図１７を参照しながら説明する。
尚、図１５及び図１６において、図１３及び図１４に示したステップと共通するステップには同一の符号を付し、以下、図１３及び図１４に示した撮影モードシーケンスと異なる処理のみを説明する。
【００６７】
図１５に示す処理は、図１３に示したステップＳ１０８、Ｓ１３２の代わりにステップＳ２００、Ｓ２０２の処理を行う点で図１３に示す処理と異なる。
これらのステップＳ２００、Ｓ２０２では、図１７に示すサブルーチンに示すように連写が行われる。即ち、図１７に示すように１コマの撮影を行い、ＣＣＤ撮像系１０から得た１フレーム分の画像データをメインメモリ４０に格納する（ステップＳ２１０、２１２）。その後、所定の時間が経過したか否かを判別する（ステップＳ２１４）。この所定の時間は、連写するコマ間の撮影間隔であり、予め連写モード時にＬＣＤ４６の画面を利用して設定できるようになっている。
【００６８】
所定の時間が経過すると、次に所定の枚数を撮影したか否かを判別する（ステップＳ２１６）。尚、この所定の枚数も予め連写モード時にＬＣＤ４６の画面を利用して設定できるようになっている。
所定の枚数が撮影されていない場合には、ステップＳ２１０に戻り、上記ステップＳ２１０〜２１６の処理を繰り返し、ステップＳ２１６で所定の枚数が撮影されたことが判別されると、連写が終了し、メインルーチンに戻る。
【００６９】
これにより所定の撮影間隔で所定の枚数の撮影が行われ、撮影した各画像データがメインメモリ４０に格納される。
図１５において、ステップＳ２０２での上記連写が終了すると、連写した撮影カットのうちの或るカットに付与する特殊効果を、ステップＳ１２０〜Ｓ１３０によって決定し、図１６に示す処理に移行する。
【００７０】
図１６に示す処理は、図１４に示したステップＳ１５８の代わりにステップＳ２２０の処理を行う点で図１４に示す処理と異なる。即ち、或るカットに特殊効果が付与された画像が記録されると、ステップＳ２２０では連写した全ての撮影カットを処理したか否かを判別する。全ての撮影カットを処理していない場合には、次のカットに処理を移すべく、図１５のステップＳ１２０に戻る。
【００７１】
このようにして連写した全ての撮影カットにそれぞれ特殊効果を付与する。
尚、連写した複数枚の撮影カットを１コマとして記録するようにしてもよい。但し、複数の撮影カットから構成される１コマに対して１つの特殊効果を付与する場合には、前述した図１３のステップＳ１０８、Ｓ１３２の代わりに図１７に示した連写の処理を行わせればよく、その他は図１３及び図１４に示した処理と同じ処理にて行うことができる。
【００７２】
次に、再生時にスルー画像に特殊効果を付与する場合の手順について、図１８乃至図２０を参照しながら説明する。
図１８は再生時にスルー画像に特殊効果を付与する場合のデータの流れを示すブロック図であり、図１９及び図２０は再生モードシーケンスを示すフローチャートである。尚、図１８において、図１と共通する部分には同一の符号が付され、また、図１９及び図２０において、図１３及び図１４に示したステップと共通するステップには同一の符号が付されている。
【００７３】
この再生モードシーケンスは、モードスイッチ６２によって再生モードが選択された場合に開始され、まず、図１８に示すように外部メモリ５０から外部メモリインターフェース２９を介して１フレーム分の画像データ等を読み込む（ステップＳ３００）。尚、再生モードシーケンスは、再生時にスルー画像に特殊効果を付与するモードであるため、主にスルー画像を示す画像データが読み込まれるが、既にスルー画像に特殊効果が付与されている場合には、特殊効果画像を示す画像データ、又はスルー画像を示す画像データと、そのスルー画像に付与する特殊効果を示す手順ファイルが読み込まれる。これらのデータは、圧縮／伸長回路２８及びメモリコントローラ２５を介してメインメモリ４０に格納される。尚、前記画像データが圧縮データの場合には、圧縮／伸長回路２８によって伸長される。
【００７４】
次に、上記のようにして読み込んだデータが、手順ファイルを有しているか否かを判別する（ステップＳ３０２）。手順ファイルを有している場合には、特殊効果画像処理部２６は手順ファイルを読み込み、その手順ファイルに基づいてスルー画像に特殊効果を付与する画像処理（テンプレート画像との合成を含む）を行い、特殊効果画像を作成する（ステップＳ３０４、Ｓ３０６）。このようにして作成した特殊効果画像の画像データに基づいてＬＣＤドライバ２３を駆動し、特殊効果画像をＬＣＤ４６に表示させる（ステップＳ３０８）。
【００７５】
ステップＳ３０２で手順ファイルがないことが判別されると、特殊効果設定スイッチ６４が再生時に設定されているか否かを判別する（ステップＳ３１０）。特殊効果設定スイッチ６４が再生時に設定されていない場合には、手順ファイルを有さない画像データに基づいてＬＣＤドライバ２３を駆動し、画像をＬＣＤ４６に表示させる（ステップＳ３０８）。
【００７６】
このようにしてＬＣＤ６４に画像が表示されると、図２０に示すステップＳ３１６に移行する。
一方、ステップＳ３１０で特殊効果設定スイッチ６４が再生時に設定されていることが判別されると、前記読み込んだ画像に付与する特殊効果をステップＳ１２０〜Ｓ１３０によって決定する。
【００７７】
ステップＳ１２０〜Ｓ１３０で特殊効果が決定されると、図２０のステップＳ３１２に進む。ステップＳ３１２では、前記読み込んだ画像と、前記決定した特殊効果とに基づいて特殊効果を付与する画像処理（テンプレート画像との合成を含む）が行われ、特殊効果画像が作成される。このようにして作成された特殊効果画像はＬＣＤ４６に表示される（ステップＳ３１４）。
【００７８】
続いて、ステップＳ３１６でタイマー設定ＰＢ４が０か否かを判別し、ＰＢ４＝０の場合にはステップＳ３１８に進み、ＰＢ４≠０の場合にはステップＳ３２４に進む。これらのステップＳ３１８及びＳ３２４は、それぞれ決定／保存スイッチ６６が押されたか否かを判別し、決定／保存スイッチ６６が押されたと判別すると、ステップＳ１５０に進み、上述したように特殊効果画像等が保存される。尚、特殊効果画像等が保存されると、後述するステップＳ３３０に移行する。
【００７９】
一方、ステップＳ３１８で決定／保存スイッチ６６が押されていないと判別されると、レリーズ／コマ送りスイッチ６１がＯＮされたか否かが判別される（ステップＳ３２０）。そして、レリーズ／コマ送りスイッチ６１がＯＮされたと判別されると、１コマ送りを行うべく、図１９のステップＳ３００に戻り、外部メモリ５０から次のコマの画像データ等を読み込む。
【００８０】
また、ステップＳ３２４で決定／保存スイッチ６６が押されていないと判別されると、上記と同様にレリーズ／コマ送りスイッチ６１がＯＮされたか否かが判別される（ステップＳ３２６）。そして、レリーズ／コマ送りスイッチ６１がＯＮされたと判別されると、１コマ送りを行うべく、図１９のステップＳ３００に戻り、外部メモリ５０から次のコマの画像データ等を読み込む。
【００８１】
上記ステップＳ３２６でレリーズ／コマ送りスイッチ６１がＯＮされていないと判別されると、特殊効果が決定されてから所定時間経過したか否かが判別される（ステップＳ３３０）。ステップＳ３３０で所定時間経過したことが判別されると、読み込んだ画像に付与する特殊効果の再設定をステップＳ１６８〜Ｓ１７８によって行う。
【００８２】
これにより、ＰＢ４≠０で、決定／保存スイッチ６６及びレリーズ／コマ送りスイッチ６１が押されない場合には、読み込んだ画像に対して所定時間経過毎に新たな特殊効果が付与された特殊効果画像が作成され、ＬＣＤ４６に表示されることになる。従って、撮影者は、再生時にＬＣＤ４６のプレビュー画面を見ながら決定／保存スイッチ６６を操作することにより、特殊効果画像を選択して保存することができる。
【００８３】
次に、印画時にスルー画像に特殊効果を付与する場合の手順について、図２１乃至図２３を参照しながら説明する。
図２１は印画時にスルー画像に特殊効果を付与する場合のデータの流れを示すブロック図であり、図２２及び図２３は印画モードシーケンスを示すフローチャートである。尚、図２１において、図１と共通する部分には同一の符号が付され、また、図２２及び図２３において、図１９及び図２０に示したステップと共通するステップには同一の符号が付されている。
【００８４】
この印画モードシーケンスは、モードスイッチ６２によって印画モードが選択された場合に開始される。ここで、図２２に示す処理は、前述の図１９のステップＳ３１０の処理の代わりにステップＳ４００の処理を行う点で異なる。即ち、図１９のステップＳ３１０は、特殊効果設定スイッチ６４が再生時か否かを判別するが、図２２のステップＳ４００は、特殊効果設定スイッチ６４が印画時か否かを判別する。尚、図２２に示す処理は、上記ステップＳ４００の処理以外は図１９に示した処理と共通するため、その詳細な説明は省略する。
【００８５】
さて、図２３のステップＳ３１４で、印画時に読み込んだ画像に特殊効果が付与された特殊効果画像等がＬＣＤに表示されると、印画モード設定ＰＲ１が１か否かを判別する（ステップＳ４０２）。ＰＲ１＝１（自動印画モード）の場合には、プリントアウトを行う（ステップＳ４０４）。即ち、図２１に示すように、メインメモリ４０に格納されている特殊効果画像等を示す画像データがメモリコントローラ２５によって読み出され、通信インターフェース４８を介して外部プリンタ４９に送出される。これにより、ＬＣＤ４６に表示されている画像と同じ画像がプリントアウトされる。
【００８６】
プリントアウト後、外部メモリ５０に記録されているコマのうちの最後のコマがプリントアウトされたか否かを判別し（ステップＳ４０６）、最後のコマの場合には自動印画モードを終了し、最後のコマでない場合には、１コマ送りを行うべく、図２２のステップＳ３００に戻り、外部メモリ５０から次のコマの画像データ等を読み込む。
【００８７】
一方、ステップＳ４０２でＰＲ１≠１（手動印画モード）と判別されると、続いて、タイマー設定ＰＲ５が０か否かを判別する（ステップＳ４０８）。ＰＲ５＝０の場合にはステップＳ４１０に進み、ＰＲ５≠０の場合にはステップＳ４１４に進む。これらのステップＳ４１０及びＳ４１４は、それぞれ印画スイッチ６５が押されたか否かを判別し、印画スイッチ６５が押されたと判別すると、ステップＳ４１２に進み、プリントアウトが行われる。尚、プリントアウトが行われると、ステップＳ３３０に移行する。
【００８８】
ステップＳ４１０で印画スイッチ６５が押されていないと判別されると、レリーズ／コマ送りスイッチ６１がＯＮされたか否かを判別する（ステップＳ３２０）。そして、レリーズ／コマ送りスイッチ６１がＯＮされたと判別すると、１コマ送りを行うべく、図２２のステップＳ３００に戻り、外部メモリ５０から次のコマの画像データ等を読み込む。
【００８９】
また、上記ステップＳ４１４で印画スイッチ６５が押されていないと判別されると、上記と同様にレリーズ／コマ送りスイッチ６１がＯＮされたか否かを判別する（ステップＳ３２６）。そして、レリーズ／コマ送りスイッチ６１がＯＮされたと判別すると、１コマ送りを行うべく、図２２のステップＳ３００に戻り、外部メモリ５０から次のコマの画像データ等を読み込む。
【００９０】
一方、ステップＳ３２６でレリーズ／コマ送りスイッチ６１がＯＮされていないと判別されると、特殊効果が決定されてから所定時間経過したか否かを判別する（ステップＳ３３０）。ステップＳ３３０で所定時間経過したことが判別されると、読み込んだ画像に付与する特殊効果の再設定をステップＳ１６８〜Ｓ１７８によって行う。
【００９１】
これにより、ＰＲ１≠０、ＰＲ５≠０で、印画スイッチ６５及びレリーズ／コマ送りスイッチ６１が押されない場合には、読み込んだ画像に対して所定時間経過毎に新たな特殊効果が付与された特殊効果画像が作成され、ＬＣＤ４６に表示されることになる。従って、撮影者は、印画時にＬＣＤ４６のプレビュー画面を見ながら印画スイッチ６５を操作することにより、特殊効果画像を選択して印画することができる。
【００９２】
尚、スルー画像と合成するテンプレート画像の種別は、この実施の形態に限らず、例えば、相性、バイオリズム等を示すテンプレート画像が考えられる。また、フィルタ操作によってスルー画像に特殊効果を付与するフィルタ操作の種別も、この実施の形態に限らず、例えば、変形、セピア調、白黒、ぼかし、逆光、油絵調、モザイク、点描、ソラリゼーション、減色、カラーバランス崩し、ハイキー、及びローキーなどの特殊効果を付与するものが考えられる。
【００９３】
ところで、フィルタを適用する場合には、フィルタを適用する範囲を選択できるようにしてもよい。この場合には、ＬＣＤにフィルタを適用する範囲を表示するようにすれば、撮影時にＬＣＤを見ながら主要被写体がフィルタを適用する範囲に入るように、あるいはフィルタを適用する範囲に入らないようにして撮影することができる。これによれば、例えば、人物の顔にはフィルタ操作を行わないようにしたり、人物の目、鼻又は口のみにフィルタ操作を行うことができる。尚、フィルタを適用する範囲が指定されない場合には、画像全体にフィルタが適用される。
【００９４】
【発明の効果】
以上説明したように本発明によれば、被写体像を示すスルー画像に対してランダムに選択された特殊効果を付与するようにしたため、撮影者が予期しない面白い画像を簡単に得ることができる。また、保存スイッチや印画スイッチがＯＮされずに所定時間経過すると、再度ランダムに特殊効果を選択するようにしているため、所望の特殊効果が付与された画像のみを保存あるいは印画することもできる。
【図面の簡単な説明】
【図１】図１は本発明に係るデジタルカメラの内部構造を示すブロック図である。
【図２】図２は図１に示したＬＣＤの表示内容や表示切換えを説明するために用いた図である。
【図３】図３は撮影モード時の特殊効果の設定方法を説明するために用いた図である。
【図４】図４は再生モード時の特殊効果の設定方法を説明するために用いた図である。
【図５】図５は印画モード時の特殊効果の設定方法を説明するために用いた図である。
【図６】図６はおみじくを示すテンプレート画像の一例を示す図である。
【図７】図７は撮影地を示すテンプレート画像の一例を示図である。
【図８】図８はテンプレート画像として取り込まれたカラオケ機の画像の一例を示す図である。
【図９】図９はテンプレート画像として取り込まれたゲーム機の画像の一例を示す図である。
【図１０】図１０（Ａ）乃至（Ｄ）は痩せた特殊効果画像を説明するための用いた図である。
【図１１】図１１（Ａ）乃至（Ｄ）は太った特殊効果画像を説明するための用いた図である。
【図１２】図１２は撮影時にスルー画像に特殊効果を付与する場合のデータの流れを示すブロック図である。
【図１３】図１３は撮影時にスルー画像に特殊効果を付与する撮影モードシーケンスを示すフローチャートである。
【図１４】図１４は撮影時にスルー画像に特殊効果を付与する撮影モードシーケンスを示すフローチャートである。
【図１５】図１５は連写撮影モードシーケンスを示すフローチャートである。
【図１６】図１６は連写撮影モードシーケンスを示すフローチャートである。
【図１７】図１７は連写撮影を示すサブルーチンに示すフローチャートである。
【図１８】図１８は再生時にスルー画像に特殊効果を付与する場合のデータの流れを示すブロック図である。
【図１９】図１９は再生時にスルー画像に特殊効果を付与する再生モードシーケンスを示すフローチャートである。
【図２０】図２０は再生時にスルー画像に特殊効果を付与する再生モードシーケンスを示すフローチャートである。
【図２１】図２１は印画時にスルー画像に特殊効果を付与する場合のデータの流れを示すブロック図である。
【図２２】図２２は印画時にスルー画像に特殊効果を付与する再生モードシーケンスを示すフローチャートである。
【図２３】図２３は印画時にスルー画像に特殊効果を付与する再生モードシーケンスを示すフローチャートである。
【符号の説明】
１０…ＣＣＤ撮像系
２０…メインＣＰＵ
２５…メモリコントローラ
２６…特殊効果画像処理部
２９…外部メモリインターフェース
４０…メインメモリ
４２…乱数ジェネレータ
４４…タイマー
４６…液晶表示器（ＬＣＤ）
４８…通信インターフェース
４９…外部プリンタ
５０…外部メモリ
６１…レリーズ／コマ送りスイッチ
６２…モードスイッチ
６３…ファイルフォーマットスイッチ
６４…特殊効果設定スイッチ
６５…印画スイッチ
６６…決定／保存スイッチ
６７…特殊効果／程度切換ダイヤル
６８…表示切換スイッチ
【図１】
0004412749.tif 000008
【図２】
0004412749.tif 000009
【図３】
0004412749.tif 000010
【図４】
0004412749.tif 000011
【図５】
0004412749.tif 000012
【図６】
0004412749.tif 000013
【図７】
0004412749.tif 000014
【図８】
0004412749.tif 000015
【図９】
0004412749.tif 000016
【図１０】
0004412749.tif 000017
【図１１】
0004412749.tif 000018
【図１２】
0004412749.tif 000019
【図１３】
0004412749.tif 000020
【図１４】
0004412749.tif 000021
【図１５】
0004412749.tif 000022
【図１６】
0004412749.tif 000023
【図１７】
0004412749.tif 000024
【図１８】
0004412749.tif 000025
【図１９】
0004412749.tif 000026
【図２０】
0004412749.tif 000027
【図２１】
0004412749.tif 000028
【図２２】
0004412749.tif 000029
【図２３】
0004412749.tif 000030